(57)【要約】【目的】拭取部材を支持した拭取具に対して保持具を十分な保持力で取り付けることができ、かつワンタッチで挿脱でき、長期使用において繰り返される変形に耐性を有し、さらに簡単な構造で低価格に製造できる挿脱自在構造を備えた清掃具を提供することを目的とする【構成】払拭体３０を挿入するループ部２０には弾性体２１が装備される。挿入時に払拭体３０の袋状部３１の袋状部側面３３が厚接されて撓むことにより、払拭体３０がループ部２０に固定される。ループ部２０から払拭体３０を分離する際に、弾性体２１がループ部２０の形状を挿入前の形状に戻すので、ループ部２０の恒久的な変形が防止される。【選択図】  図４
2010148767.tif 000002
【特許請求の範囲】
【請求項１】
手で把握されるグリップ部と、前記グリップ部の先端に形成され、払拭体の袋状部に圧接状に挿入されて前記払拭体を固定するループ部からなるハンディ清掃具用把持具において、前記ループ部の内部に弾性体を固定して前記弾性体の復元力により前記圧接状態を保持させることを特徴とするハンディ清掃具用把持具。
【請求項２】
前記弾性体は前記ループ部内に形成された小ループ部である請求項１に記載のハンディ清掃具用把持具。
【請求項３】
前記弾性体は前記ループ部内に形成された角状部材である請求項１に記載のハンディ清掃具用把持具。
【請求項４】
前記グリップ部が前記ループ部と同軸状に形成された直線状グリップ部である請求項１〜３のいずれかに記載のハンディ清掃具用把持具。
【請求項５】
前記グリップ部の軸線と前記ループ部の軸線が相違し、前記グリップ部が湾曲状に形成された湾曲状グリップ部である請求項１〜３のいずれかに記載のハンディ清掃具用把持具。
【請求項６】
請求項１〜５のいずれかに記載のハンディ清掃具用把持具を用い、前記ループ部を前記払拭体の前記袋状部に圧接状に挿入して、前記ハンディ清掃具用把持具と前記払拭体を一体化したことを特徴とするハンディ清掃具。
【請求項７】
前記払拭体はパイルモップ、不織布モップ、不織紙モップ、スポンジ又はブラシである請求項６に記載のハンディ清掃具。
【発明の詳細な説明】
【技術分野】
【０００１】
本発明は、モップなどの清掃具に関し、殊に、拭取部材を支持した拭取具に、グリップ部を備えた保持具を挿脱自在に取り付けて構成される清掃具に関する。
【背景技術】
【０００２】
一般に、この種の清掃具は、布地、スポンジ、パイル生地などからなる拭取部材を有し、タンスなどの家具、テレビやステレオなどの電化製品、フロア面などを清掃するために使用されている。拭取部材は掃除回数が増えるに従い汚れていくため、家庭や職場で新しいものに取り替えたり、あるいはレンタル業者によって定期的に交換される。
【０００３】
この取替えや交換の手間を簡単にするために、拭取部材を支持した拭取具に対して、グリップ部を含む保持具を簡易に着脱する着脱構造が採用されている。
【０００４】
例えば、特開２００３−２６５３９１号公報（特許文献１）に示されるように、拭取具に対して保持具を挿脱自在としたものがある。モップ本体を保持する保持具は、平行に伸びた一対の差込片を有する。各差込片には、複数の抜け落ち防止用突起が側部に形成されている。その一方、モップ本体には、平行した一対の隙間を施している。前記差込片を前記隙間に挿入することによって前記保持具を前記モップ本体にワンタッチで取り付け、前記突起の接触作用のみにより脱落防止を達成できるようになっている。
【０００５】
その他に、特開２００５−２３７５８９号公報（特許文献２）における発明が考案されている。図７は、特許文献２におけるハンディ清掃具の払拭具の部分平面図である。拭取具１１０に対し保持具１００を挿着する際に、板状片１０１を孔部１１１の開口から挿入する。板状片１０１全体が細長状でかつ小判状の舌片形状であるため、孔部１１１の内部を広げながら進入していく。板状片１０１における中空部１０２の両側部１０３が幅方向に撓みながら孔部１１１内部を圧接する状態となって密着する。板状片１０１全長が孔部１１１内部に収まった状態では、両側部１０３の幅広部がきっちりと密着した状態となり、拭取具１１０を保持具１００により保持することができる。
【０００６】
【特許文献１】特開２００３−２６５３９１号公報
【特許文献２】特開２００５−２３７５８９号公報
【発明の開示】
【発明が解決しようとする課題】
【０００７】
しかし、前記特許文献における発明は、何れも重大な欠点を有する。例えば、特許文献１における構造は、挿着を繰り返すと、隙間が拡幅されていき、差込片が隙間から脱落し易くなる不具合がある。
【０００８】
又、特許文献２における発明は、板状片１０１が、使用期間の長期化により劣化し易いという欠点を有する。板状片１０１の使用を繰り返すごとに、中空部１０２の両側面１０３が内側へ圧縮される。拭取具１１０を保持具１００から分離させた際にも、両側面１０３の変形が部分的に残る。従って、板状片１０１の使用を繰り返すごとに、両側面１０３が恒久的に変形してしまう。最終的には、板状片１０１を拭取具１１０に挿入しても、両側面１０３が撓まなくなるので、孔部１１１の内部を圧接しなくなる。従って、保持具１００が拭取具１１０を保持できなくなる問題がある。
【０００９】
従って、本発明は、上記の欠点を克服するために、両側面の内側への圧縮変形が防止され、かつワンタッチで挿脱でき、さらに簡単な構造により低価格に製造できる挿脱自在構造を備えた清掃具を提供することを目的とする。
【課題を解決するための手段】
【００１０】
本発明は前記課題を解決するためになされたものであり、本発明の第１の形態は、手で把握されるグリップ部と、前記グリップ部の先端に形成され、払拭体の袋状部に圧接状に挿入されて前記払拭体を固定するループ部からなるハンディ清掃具用把持具において、前記ループ部の内部に弾性体を固定して前記弾性体の復元力により前記圧接状態を保持させるハンディ清掃具用把持具である。
【００１１】
本発明の第２の形態は、第１の形態において、前記弾性体は前記ループ部内に形成された小ループ部であるハンディ清掃具用把持具である。
【００１２】
本発明の第３の形態は、第１の形態において、前記弾性体は前記ループ部内に形成された角状部材であるハンディ清掃具用把持具である。
【００１３】
本発明の第４の形態は、第１〜３の形態のいずれかにおいて、前記グリップ部が前記ループ部と同軸状に形成された直線状グリップ部であるハンディ清掃具用把持具である。
【００１４】
本発明の第５の形態は、第１〜３の形態のいずれかにおいて、前記グリップ部の軸線と前記ループ部の軸線が相違し、前記グリップ部が湾曲状に形成された湾曲状グリップ部であるハンディ清掃具用把持具である。
【００１５】
本発明の第６の形態は、第１〜５の形態のいずれかにおけるハンディ清掃具用把持具を用い、前記ループ部を前記払拭体の前記袋状部に圧接状に挿入して、前記ハンディ清掃具用把持具と前記払拭体を一体化したハンディ清掃具である。
【００１６】
本発明の第７の形態は、第６の形態において、前記払拭体はパイルモップ、不織布モップ、不織紙モップ、スポンジ又はブラシであるハンディ清掃具である。
【発明の効果】
【００１７】
本発明の第１の形態によれば、前記ループ部が幅方向に可撓性を有し、更に前記ループ部の内部に固定された前記弾性体によって内部への恒久的な変形を防止できるため、前記ループ部を前記払拭体に挿入するとき、撓んで幅方向に縮むことによりスムーズに挿着でき、更に前記ループ部を長寿命にすることができる。
前記ループ部の前記払拭体への挿入状態においては、前記ループ部全体が前記可撓性による反発力により、前記ループ部が前記払拭体内部に圧接した状態でしっかりと密着することにより前記払拭体を保持するので、十分な挿着保持力を得ることができる。一方、前記ループ部を抜く場合にも、前記ループ部による可撓性によって、前記ループ部を前記払拭体から無理な力を要することなく分離することができる。
更に、前記ループ部を前記払拭体から分離する際に、前記弾性体によって前記ループ部の形状が前記挿入以前の形状に戻るので、前記ループ部の恒久的な変形を防止することができる。したがって、前記保持具を前記清掃具に対してワンタッチで挿脱可能であり、更に長寿命である清掃具を提供することができる。
また、一体状の前記ループ部によって十分な挿着保持力を得ることができるため、全体形状を簡素化でき、製造コストも安価になる利点がある。
【００１８】
本発明の第２の形態によれば、前記弾性体が小ループであるので、剛性が高く、且つ寿命が長い弾性体を提供することができる。本形態における小ループは、円形であるので、原理的に最も剛性が高い形状を有する。又、この小ループにかかる応力が小ループ全体に分散されるので、１点に構造疲労が蓄積されず、従って弾性体の長寿命化を達成できる。
【００１９】
本発明の第３の形態によれば、前記弾性体が角状部材であるので、高い柔軟性を有する弾性体を提供することができる。ここにおける角状部材とは、直線部分を２つ有し、この直線部分が尖角を形成する部材を指す。このような角状部材は、前記尖角が蝶番状に変形するので、優れた柔軟性を有する。従って、前記弾性体を角状に形成することにより、柔軟性が高い弾性体を提供することができる。
【００２０】
本発明の第４の形態によれば、前記グリップ部が直線状グリップ部であるので、収縮可能なグリップ部が得られる。グリップ部が直線状である場合には、グリップ部を複数の筒状部材を望遠鏡状に連結した構造にすることができる。従って、前記筒状部材を十分に短くすることにより、収縮状態において収納を容易にすることができる。
【００２１】
本発明の第５の形態によれば、前記グリップ部が湾曲グリップ部であるので、前記払拭体を使用し易い角度に保持でき、かつ手で保持され易い形状にすることができる。又、前記払拭体を前記グリップ部に対して、適切な角度に連結することにより、家具及び家財の清掃が容易になるようにハンディ清掃具を構成できる。従って清掃の効率化を促進することができる。
【００２２】
本発明の第６の形態によれば、前記ハンディ清掃具用把持具及び前記払拭体を連結することにより、ハンディ清掃具を形成できるので、製造コストが低く、寿命が長く、且つ多様的に有用なハンディ清掃具を提供できる。又、前記ハンディ清掃具用把持具は、ループ部の構造が簡単であり、且つ長期の使用においても劣化し難い。そして、前記払拭体は数々の種類が存在するので、用途に応じて払拭体を交換することができる。従って、前記ハンディ清掃具用把持具及び前記払拭体からなるハンディ清掃具は、安価、長寿命且つ多用途であるという長所を有する。
【００２３】
本発明の第７の形態によれば、本発明のハンディ清掃具は、払拭体としてパイルモップ、不織布モップ、不織紙モップ、スポンジ又はブラシに交換できるので、多用途に使用できる。例えば、乾式清掃を行う場合には、ブラシを使用し、湿式清掃を行う場合には、スポンジを使用する。又、払拭体を再使用することが不適当であれば、使い捨ての不織紙モップを使用し、反対に再使用する必要がある場合には、パイルモップが好適である。このように、用途に応じて最適な払拭体を使用することができる。
【発明を実施するための最良の形態】
【００２４】
以下に、本発明に係るハンディモップの実施形態を添付する図面に従って詳細に説明する。
【００２５】
［実施例１：直線状ハンディ清掃具］
図１は、本実施例におけるハンディ清掃具用把持具及び払拭体の外観斜視図である。ここにおけるループ部２０は、ループ部先端部２２及びループ部基端部２３から構成される。ループ部先端部２２の中空部には、半円状の弾性体２１二個が形成され、これらの弾性体が本実施例における小ループ部を形成する。ここにおいては、ループ部基端部２３に、ループ部係止ファスナー２４が接合される。このループ部係止ファスナー２４は、下記の払拭体３０の挿入口３２を固定するのに使用される。前記挿入口３２の固定はクリップ片などの他の方法を使用しても良い。
【００２６】
本実施例におけるグリップ部１０は、前記ループ部２０と同軸状に形成された直線上グリップ部である。グリップ部１０は、グリップ管１１、縮径管１２及びグリップ部・ループ部接続部１３から形成される。縮径管１２は、グリップ管１１内に収容することができ、この収容によりグリップ部１０を縮小することができる。収容時には縮径管１２における嵌合ボタンがグリップ管１１状の貫通部１４に嵌合される。グリップ部１０を使用時の寸法に拡大する場合においては、前記嵌合ボタンを押して嵌合を外し、グリップ管１１を引き縮径管１２をグリップ管１１外へ引き出す。ここにおいては、グリップ部・ループ部接続部１３は、ループ部２０と一体製造され、グリップ部・ループ部接続部１３を縮径管１２に嵌合することによりハンディ清掃具用把持具１を形成する。しかし、グリップ部１０の先端にループ部２０を形成する方法は、他にも存在し、例として縮径管１２とループ部２０を一体形成することも可能である。
【００２７】
本発明における払拭体３０は、袋状の物体であり、袋の周辺に、カットパイル、ループパイル、紙、不織布又は繊維などにより形成された払拭片が構成される。この払拭体３０の種類としては、パイルモップ、不織布モップ、不織紙モップ、スポンジ及びブラシなどがある。前記袋にループ部２０が挿入されることにより、ハンディ清掃具が形成される。払拭体３０の構造の詳細は、図３の説明において記述する。
【００２８】
図２は、本実施例におけるハンディ清掃具２の外観斜視図である。ハンディ清掃具用把持具１の先端に形成されているループ部２０を、払拭体３０内に挿入することにより、ハンディ清掃具２を形成する。
【００２９】
図３は、本発明に用いられる払拭体３０の断面平面図である。払拭体３０は、袋状部３１と、袋状部３１上に形成された払拭片３４からなる。袋状部３１には挿入口３２が形成され、この挿入口３２にループ部２０を挿入することにより、ハンディ清掃具２を形成する。この挿入の際に、袋状部３１の袋状部側面３３に、前記ループ部先端部２２が接触する。袋状部３１内部の挿入口３２付近には、払拭体係止ファスナー３５が形成され、ループ部基端部２３上に形成されているループ部係止ファスナー２４と接合して、挿入口３２を固定する。この固定は、ファスナーを使用せず、クリップ片などを使用しても良い。
【００３０】
図４は、前記払拭体３０を本発明のハンディ清掃具把持具１に挿入した後のハンディ清掃具２の払拭体３０部分の断面平面図である。袋状部側面３３にループ部先端部２２が接触し、袋状部側面３３が外側へ撓み、更にループ部先端部２２が内側へ撓む。これらの撓みにより、ループ部先端部２２及び袋状部３１が変形し、これらの撓みの反発力により払拭体３０がループ部先端部２２を圧搾して、前記払拭体３０が固定される。同時に、払拭体係止ファスナー３５がループ部基端部２３上に形成されているループ部係止ファスナー２４と接合して、挿入口３２を固定する。この固定は、ファスナーを使用せず、クリップ片などを使用しても良い。払拭体３０をハンディ清掃具用把持具１から分離する際には、弾性体２１の復元作用により、ループ部先端部２２の形状が前記挿入以前の形状に戻るので、ループ部２０の恒久的な変形が防止される。
【００３１】
図５は、前記ループ部２０内に形成される弾性体２１の各種変形例を示す部分平面図である。図５Ａにおいては、半円形弾性体２個が形成され、小ループ状弾性体Ａ（２１ａ）となっている。又、図５Ｂに示されるように、半円形弾性体２１ｂ一個を形成しても良い。図５Ｃにおいては、弾性体２１として角状弾性体２１ｃ一個が形成されている。又、角状弾性体２１ｃを２個形成しても良い。角状弾性体２１ｃの相互の方向は、同方向（図５Ｄ）でも、反対方向（図５Ｅ）でも良い。図５Ｆにおいては、直線状弾性体２１ｄが形成されている。又、図５Ｇにおいては、曲線状弾性体２１ｅが形成されている。上記弾性体はループ部先端部２２と同様の材料により形成されているが、形成材料が異なっても勿論良く、その場合にはバネ２１ｆ（図５Ｈ）、ゴム片２１ｇ（図５Ｉ）等を使用できる。図５Jにおいては、半円形弾性体２個がループ部２０と直交して形成され、小ループ状弾性体Ｂ（２１ｈ）となっている。そして、この直交する弾性体２１は半円形弾性体２１ｂ、角状弾性体２１ｃ、曲線状弾性体２１ｅのような形成でも勿論良い。
【００３２】
［実施例２：湾曲状グリップ部を有するハンディ清掃具用把持具］
図６は、本実施例におけるハンディ清掃具用把持具１の外観斜視図である。ここにおいては、グリップ部１０は、湾曲状グリップ部１０ａである。このような湾曲状グリップ部１０ａは、直線グリップ部よりも手に馴染みやすく、従って把持しやすいという長所を有する。又、机上などを清掃する際に、払拭部３０を使用し易い角度に保持するのに有用である。ここにおいては、ループ部２０の構造は、実施例１におけるループ部２０の構造と同様である。
【００３３】
本実施例においては、実施例１において使用された払拭部３０を全て使用でき、また図５に示されたループ部２０内の弾性体２１ａ〜ｇを全て使用できることは、言うまでもない。
【産業上の利用可能性】
【００３４】
本発明により、簡単な構造を有し、耐久性が高く、また払拭部の着脱が容易なハンディ清掃具を提供できる。しかも、このハンディ清掃具に使用されるハンディ清掃具用把持具は、多様な払拭具を装着できるので、このハンディ清掃具は多様な家具及び家財を清掃できる。従って、安価で且つ生産性の高いハンディ清掃具を製造することができ、しかもこのハンディ清掃具はその清掃能力及び耐久性の高さにより、高い有用性を発揮できる。
【図面の簡単な説明】
【００３５】
【図１】実施例１におけるハンディ清掃具用把持具及び払拭体の外観斜視図である。
【図２】実施例１におけるハンディ清掃具の外観斜視図である。
【図３】本発明に用いられる払拭体の断面平面図である。
【図４】本発明の払拭体を本発明のハンディ清掃具把持具に挿入した後のハンディ清掃具の払拭体部分の断面平面図である。
【図５】本発明のループ部内に形成される弾性体の各種変形例を示す部分平面図である。
【図６】実施例２におけるハンディ清掃具用把持具の外観斜視図である。
【図７】従来技術におけるハンディ清掃具の払拭具の部分平面図である。
【符号の説明】
【００３６】
１    ハンディ清掃具用把持具
２    ハンディ清掃具
１０    グリップ部
１０ａ  湾曲状グリップ部
１１    グリップ管
１２    縮径管
１３    グリップ部・ループ部接続部
１４    貫通部
２０    ループ部
２１    弾性体
２１ａ  小ループ状弾性体Ａ
２１ｂ  半円状弾性体
２１ｃ  角状弾性体
２１ｄ  直線状弾性体
２１ｅ  曲線状弾性体
２１ｆ  バネ
２１ｇ  ゴム片
２１ｈ  小ループ状弾性体Ｂ
２２    ループ部先端部
２３    ループ部基端部
２４    ループ部係止ファスナー
３０    払拭体
３１    袋状部
３２    挿入口
３３    袋状部側面
３４    払拭片
３５    払拭体係止ファスナー
１００    保持具
１０１    板状片
１０２    中空部
１０３    両側部
１１０    拭取具
１１１    孔部
【図１】
2010148767.tif 000003
【図２】
2010148767.tif 000004
【図３】
2010148767.tif 000005
【図４】
2010148767.tif 000006
【図５】
2010148767.tif 000007
【図６】
2010148767.tif 000008
【図７】
2010148767.tif 000009